(57)【特許請求の範囲】
【請求項１】
短柱（４０）によりクラッチカバープレートにダイヤフラムを取り付けるための装置であって、前記短柱（４０）がピッチ円上で離間しており、ダイヤフラム（２８）およびカバープレート（１０）内の開口部（５８、４２）を貫通しており、前記短柱がシーム加工などによりカバープレート（１０）に固定されると共に、ヘッド（３８、７０）を含み、これらヘッドが、挟持された弾性変形可能な手段を介し、ダイヤフラムに係合しており、弾性変形可能な手段がダイヤフラムをカバープレートに装着させると共に、クラッチ解除動作においてダイヤフラムを枢動させるための第２当接部を構成する、クラッチカバープレートにダイヤフラムを取り付けるための装置であって、
前記弾性変形可能な手段がほぼＣ字形をした、互いに独立したフック部品（４４）であり、これらフック部品（４４）がダイヤフラム内の前記開口部（５８）を貫通しており、各フック部品が、カバープレート（１０）に当接する第１ブランチ（４６）と、ダイヤフラムに当接する第２ブランチ（５０）とを有し、ダイヤフラムをカバープレート（１０）に弾性的にクランプするようになっていることを特徴とする、クラッチカバープレートにダイヤフラムを取り付けるための装置。
【請求項２】
第１ブランチ（４６）よりも各フック部品の第２ブランチ（５０）のほうが長くなっていることを特徴とする、請求項１記載の装置。
【請求項３】
ダイヤフラム（２８）が係合するカバープレート（１０）の面に各フック部品の第１ブランチ（４６）が押圧されていることを特徴とする、請求項１または２記載の装置。
【請求項４】
前記１つの短柱（４０）によりカバープレート（１０）に各フック部品（４４）が固定されていることを特徴とする、請求項１〜３のいずれかに記載の装置。
【請求項５】
各フック部品の第１ブランチ（４６）が短柱（４０）のための貫通開口部（４８）を有することを特徴とする、請求項４記載の装置。
【請求項６】
フック部品のブランチ（４６）内に形成された開口部（４８）が、この開口部（４８）を貫通する短柱（４０）の部分の横方向横断面に対応する非円形形状となっていることを特徴とする、請求項５記載の装置。
【請求項７】
フック部品（４４）が貫通するダイヤフラム内の開口部（５８）が、ダイヤフラムに対するフック部品の回転を防止するよう、非円形形状となっていることを特徴とする、請求項１〜６のいずれか１項に記載の装置。
【請求項８】
各フック部品の第２ブランチ（５０）が短柱のヘッド（３８）のための貫通開口部（５６）を有することを特徴とする、請求項１〜７のいずれか１項に記載の装置。
【請求項９】
短柱のヘッド（３８）がフック部品の第１ブランチ（４６）に係合していることを特徴とする、請求項１〜８のいずれか１項に記載の装置。
【請求項１０】
フック部品の第１ブランチ（４６）が短柱のショルダー（６８）に係合し、フック部品の第２ブランチ（５０）が第１ブランチ（４６）と短柱のヘッド（７０）との間に配設され、前記ヘッドからわずかに離間していることを特徴とする、請求項１〜７のいずれか１項に記載の装置。
【請求項１１】
フック部品の第２ブランチ（５０）に向いた短柱のヘッド（７０）の面が前記第２ブランチに対して平行となっていることを特徴とする、請求項１０記載の装置。
【請求項１２】
短柱のヘッド（７０）が、フック部品の破損時にフック部品の第２ブランチ（５０）を保持するための手段となっていることを特徴とする、請求項１０または請求項１１記載の装置。
【請求項１３】
ダイヤフラム（２８）が係合するカバープレート（１０）の面が、各フック部品（４４）の高さにダイヤフラムを枢動させるための第１当接部を構成し突出する要素（６０）を含むことを特徴とする、請求項１〜１２のいずれか１項に記載の装置。
【請求項１４】
前記突出する要素（６０）がフック部品（４４）の第１ブランチ（４６）を径方向および／または回転角方向に位置決めするための当接部も構成することを特徴とする、請求項１３記載の装置。
【請求項１５】
ダイヤフラム（２８）に当接する各フック部品の第２ブランチ（５０）の端部（５４）が凸状であり、ダイヤフラムを枢動するための第２当接部を構成することを特徴とする、請求項１〜１４のいずれか１項に記載の装置。
【請求項１６】
短柱の回転を防止するための少なくとも１つの溝が、短柱（４０）を通過させるカバープレート（１０）に形成された孔（４２）に設けられていることを特徴とする、請求項１〜１５のいずれか１項に記載の装置。
【発明の詳細な説明】
【０００１】
本発明は、特に自動車用摩擦クラッチにおけるクラッチカバープレートにダイヤフラムを取り付けるための装置に関する。
【０００２】
このタイプのクラッチでは、ダイヤフラムはエンジンシャフトにより共に回転するように駆動される反作用プレートに摩擦ディスクをクランプするための機構の一部となっている。ダイヤフラムは外周部がベルビーユリング状をした環状の部品であり、このベルビーユリングは反作用プレートに摩擦ディスクをクランプするよう、圧力プレートに軸方向のスラスト力を加えるクラッチ係合手段を構成しており、ダイヤフラムの内側部分に放射状にスロットが設けられ、クラッチ解除ベアリングが作用するクラッチ解除手段を構成するラジアルフィンガーを構成している。
【０００３】
ダイヤフラムはクラッチカバープレートにより支持され、かつガイドされ、クラッチカバープレートは反作用プレートに固定されており、第１当接部および第２当接部で傾動することにより、クラッチ解除位置からクラッチ係合位置へ、またはクラッチ係合位置からクラッチ解除位置へ移動するようになっている。第１当接部および第２当接部は、種々の実施例によればカバープレートのベース内のプレス加工された要素により構成されるか、または第１当接部についてはカバープレートのベースに支持された環状リングにより構成され、第２当接部についてはカバープレートのベースから突出し、ダイヤフラム内の開口部を貫通するラグによって支持されたクラウンリングによって構成される。別の変形例では、前記第２当接部は短柱のヘッドによって構成でき、これら短柱はダイヤフラム内の開口部を貫通し、シーム加工によりカバープレートに固定されている。
【０００４】
クラッチカバープレートへのダイヤフラムの枢着を改善するために、これまでダイヤフラムおよびカバープレート内の開口部を貫通する弾性変形可能なクリップにより、カバープレートにダイヤフラムを固定することが提案されており（ドイツ実用新案登録第1757954号）、このクリップの両端部はダイヤフラムおよびカバープレートのベースに当接し、ダイヤフラムをカバープレートにクランプするようになっている。これらクランプには長方形のスチールの葉状部材が形成されており、これら葉状部材の端部はカールし、ダイヤフラムとクラッチカバープレートを結合するための単なる手段を構成しているが、この結合手段は作動に適していない。更に、これらクリップは特殊な形状のため、クラッチの軸方向の弾性度が小さく、よって摩耗および製造公差による間隙を補償するのに良好に適しているとは言えない。
【０００５】
環状部材により第２当接部を構成することも提案されている（米国特許第4,195,719号）。この環状部材の径方向外側部分はロール状のエッジを有し、このエッジはダイヤフラムに弾性的に当接し、ダイヤフラムをカバープレートのベースのプレス成形された要素に押圧するようになっており、環状部材の径方向内側部分は短柱が貫通する開口部を有し、短柱はクラッチカバープレートのベース内の開口部内にシーム加工されており、これら短柱のヘッドは前記環状部材に係合し、環状部材をダイヤフラムに弾性的に係止するようになっている。この公知の装置では、主に環状部材のロール状エッジによって軸方向に弾性が得られ、環状部材はクラッチ解除力（クラッチ解除ベアリングによりダイヤフラムのラジアルフィンガーに加わる軸方向の力）に抵抗しなければならず、この環状部材は材料の弾性限界を越える、長手方向に多かれ少なかれ収縮し、摩耗および製造公差に起因する間隙の補償および軸方向の弾性に有害となる恐れがある。
【０００６】
本発明の特定の課題は、従来技術のこれら欠点を解消することにある。
【０００７】
本発明の目的は、クラッチの全作動寿命にわたって間隙を吸収するのに十分な軸方向の弾性度を有する、クラッチカバープレートにダイヤフラムを取り付けるための装置を提供することにある。
【０００８】
別の目的は、軸方向に極めて短いこのタイプの装置を提供することにある。
【０００９】
従って、この目的のために、本発明は、短柱によりクラッチカバープレートにダイヤフラムを取り付けるための装置であって、前記短柱がピッチ円上で離間しており、ダイヤフラムおよびカバープレート内の開口部を貫通しており、前記短柱がシーム加工などによりカバープレートに固定されると共に、ヘッドを含み、これらヘッドが、挟持された弾性変形可能な手段を介し、ダイヤフラムに係合しており、弾性変形可能な手段がダイヤフラムをカバープレートに装着させると共に、クラッチ解除動作においてダイヤフラムを枢動させるための第２当接部を構成する、クラッチカバープレートにダイヤフラムを取り付けるための装置であって、前記弾性変形可能な手段がほぼＣ字形をした、互いに独立したフック部品であり、これらフック部品がダイヤフラム内の前記開口部を貫通しており、各フック部品が、カバープレートに当接する第１ブランチと、ダイヤフラムに当接する第２ブランチとを有し、ダイヤフラムをカバープレートに弾性的にクランプするようになっていることを特徴とする、クラッチカバープレートにダイヤフラムを取り付けるための装置を提供するものである。
【００１０】
前記フック部品が極めて長く、それらのブランチはダイヤフラムの両側に位置し、第１ブランチよりも第２ブランチのほうが長く、かつ可撓性もより大きくなっている。
【００１１】
ダイヤフラムおよびクラッチカバープレートに対するフック部品のこのような特殊な構造により、フック部品のＣ字形状によって生じる弾性度を最も有利に活用することができ、ダイヤフラムに加えられるクラッチ解除力はフック部品を開けるように働き、これを閉じるようには働かないので、フック部品の疲労に対する抵抗力が改善される。
【００１２】
本発明の別の特徴によれば、各フック部品は前記１つの短柱によりカバープレートに固定され、短柱のヘッドはフック部品の第１ブランチに係合し、第１ブランチ自身はカバープレートの面に係合する。
【００１３】
従って、カバープレートに対するフック部品の締結は極めて確実であり、フック部品の弾性度に依存しない。
【００１４】
本発明の更に別の特徴によれば、各フック部品の第２ブランチは短柱のヘッドのための貫通開口部を有する。
【００１５】
これにより、本発明に係わる装置の軸方向の寸法を縮小でき、カバープレートのベースへの短柱の締結が容易となっている。
【００１６】
本発明の更に別の特徴によれば、ダイヤフラムが係合するカバープレートの面は、各フック部品の高さに突出する要素を含み、この突出する要素はダイヤフラムを枢動させるための第１当接部を構成し、この突出する要素は、フック部品の第１ブランチを径方向および／または回転角方向に位置決めするようにもなっている。
【００１７】
更に、または変形により、フック部品が貫通するダイヤフラム内の開口部は、ダイヤフラムに対するフック部品の回転を防止するための非円形形状となっている。
【００１８】
更に、各フック部品の第１ブランチ内、およびカバープレート内に形成された開口部は、これら開口部を貫通する短柱の部分の横方向横断面に対応する非円形形状とし、クラッチカバープレートに対する短柱およびフック部品の回転を防止するようにすることができる。例えば、第１ブランチ内の開口部は平坦部を含むことができる。
【００１９】
本発明の変形実施例では、フック部品の第２ブランチは、短柱のヘッドからわずかに離間した状態で、この短柱のヘッドとフック部品の第１ブランチとの間に配設される。
【００２０】
短柱のヘッドによってフック部品は正常に作動することができ、フック部品が破損した場合でも、フック部品の第２ブランチのための係止手段となりながら、クラッチ解除動作時にフック部品の小さい弾性変形を可能にしており、これにより破損時にもクラッチ機構が作動し続けることが可能となっている。
【００２１】
一般的に、本発明はカバープレート上のダイヤフラムの関節接続部の軸方向の寸法を縮小し、かつ摩耗および製造公差による内部間隙の吸収を保証しながら、前記関節接続部の弾性を増すことにより、クラッチカバープレートへのダイヤフラムの取り付けを改善するものである。
【００２２】
こうして、短柱は簡略にされ、フック部品を締結している。ダイヤフラムのラジアルフィンガーにはリブを設けてもよい。
【００２３】
添付図面を参照し、例として示した次の説明を読めば、本発明について良好に理解でき、本発明の上記以外の特徴、細部および利点がより明らかとなろう。
【００２４】
一部が図１に示されている公知のクラッチはカバープレート１０を含み、このカバープレートはネジ１２により反作用プレート１４に固定されており、反作用プレート自身はネジ１６によってエンジンシャフト１８に固定されている。当業者に公知の適当な方法、例えば接線方向タングにより、カバープレート１０に対し圧力プレート２０が軸方向に変位自在に取り付けられ、このカバープレート１０と共に回転するように、カバープレート１０に固定されている。これらプレート１４および２０はこれらの間にディスク２２をグリップするようになっており、このディスク２２は被動シャフト２６を共に回転するように被動シャフトを駆動するための２つの摩擦ライナー２４を支持しており、この被動シャフトには本例では剛性的に被動シャフト２６と共に回転できるように、ディスク２２が固定されているが、別の変形例では、このディスク２２は弾性的に固定してもよい。
【００２５】
プレート２０はダイヤフラム２８により図１に示されたクラッチ係合位置に向かって押圧されており、ダイヤフラム２８はシャフト１８および２６と同軸状であり、ダイヤフラム２８の外周部分３０は連続しており、ベルビーユリングを構成しているが、ダイヤフラムの中心部分にはラジアルスロットが形成され、一組のラジアルフィンガー３２を構成している。これらラジアルフィンガーは矢印Ｆが示す方向にフィンガー３２の自由端部に作用するクラッチ解除ベアリング（図示せず）と協働するようになっており、カバープレート１０上の関節接続部分を中心としてダイヤフラム２８を傾動させ、カバープレートがクラッチ係合位置にある圧力プレート２０へスラスト力を加えることを終了するようになっている。
【００２６】
カバープレート１０上のダイヤフラム２８の関節接続は第１当接部３４と第２当接部３６との間にダイヤフラム２８の連続する外側部分３０を挿入することによって得られ、第１当接部３４はカバープレート１０の内側面で突出しており、本例では金属製の、カバープレートのベース内のプレス成形された要素によって構成されており、一方、第２当接部３６はカバープレートのベース内の孔または開口部４２内に進入した短柱４０のヘッド３８のフランジによって構成されており、シーム加工によりカバープレートに短柱４０が固定されている。第１当接部３４および第２当接部３６はシャフト１８および２６の軸線を中心とする円弧に沿ってカーブしており、第１当接部３４は３６０度にわたって連続状または不連続状のいずれかとなっている。第２当接部３６の回転角方向の正しい位置決めを保証するために、カバープレートのベース内の孔４２は非円形、例えば正方形または長方形となっており、これら孔内に嵌合される短柱４０の部分は対応する形状の横方向の横断面を有する。
【００２７】
クラッチ解除ベアリングがダイヤフラム２８に作用していない時（すなわち図１に示される位置にある時）、ダイヤフラム２８の外側部分３０はカバープレートのベースに形成された第１当接部３４に当接し、圧力プレート２０を反作用プレート１４側に押圧し、これによって摩擦プレート２４はプレート１４と２０との間にグリップされているので、エンジンシャフト１８と被動シャフト２６との間でトルクが伝達される。
【００２８】
クラッチ解除ベアリングが矢印Ｆの示す方向にダイヤフラム２８のラジアルフィンガー３２に作用している時、ダイヤフラム２８は第２当接部３６上で枢動することにより傾動し、ダイヤフラムの外側部分３０は反作用プレート２０から離間し、カバープレート１０のベースに向かって変位し、クラッチ解除位置、すなわちクラッチの切られた位置に位置する。
【００２９】
このクラッチでは、ある位置から別の位置に傾動できるよう、更に製造公差を考慮して、第１当接部３４と第２当接部３６との間に軸方向の間隙が生じるようにダイヤフラム２８を取り付けなければならない。この軸方向の間隙によってクラッチ解除動作における移動距離が増すが、このことは自動車のエンジンルーム内で横方向に利用できる空間がないために、自動車における横おきタイプのエンジンにクラッチが連動している時は不利である。
【００３０】
このような軸方向の間隙を解消するために、ダイヤフラム２８のラジアルフィンガーに対する当接によって生じるクラッチ解除力に抵抗できる弾性変形可能な当接部となるように、第２当接部を置換することがこれまでも提案されているが、この場合、新しい弾性変形可能な当接部の弾性度は摩耗および製造公差に起因する間隙を吸収できない。
【００３１】
しかしながら、上記のようにこのタイプの公知の弾性的な関節接続部は、本発明が解決しようとする欠点を有する。
【００３２】
次に、図２〜図４を参照する。これら図は、本発明の特定の実施例を示すものであり、同じ部品は図１と同じ符合で示されている。
【００３３】
本発明に係わる構造では、ダイヤフラム２８は一組の短柱４０によりカバープレート１０のベースにダイヤフラム２８が固定され、関節接続されている。これら短柱はほぼＣ字形状をした弾性変形可能なフック部品４４に連動しており、これら短柱は先の実施例と同じようにピッチ円上で離間しており、シーム加工によりカバープレート１０のベースに固定されている。これら短柱４０はヘッド３８として延びているシャンクを含む。
【００３４】
より詳細には、各フック部品４４は短柱４０が貫通する孔４８を含むほぼ平らな第１ブランチ４６と、第１ブランチ４６にほぼ平行であり、湾曲した部分５２によって第１ブランチに接合した第２ブランチ５０とを含み、この第２ブランチ５０はカールした端部５４で終わっており、この端部５４の第１ブランチ４６に向いた面は凸状となっている。
【００３５】
第１に、第２ブランチ５０のほうが第１ブランチ４６よりも長く、よって第１ブランチ４６よりも可撓性であること、第２に、第２ブランチは短柱４０のヘッド３８に整合する開口部５６を含むことが好ましい。これによって短柱４０をフック部品４４の２つのブランチ内の開口部４８および６０に短柱を挿入することによりフック部品４４を容易に取り付けることができ、第２に、フック部品の軸方向のサイズを縮小することが可能となっている。その理由は、ブランチ４６と５０との間の距離を短柱のヘッド３８の深さよりも短くできるからである。
【００３６】
フック部品４４および短柱４０は、フィンガー３２を構成するラジアルスロットの径方向外側端部に形成された、ダイヤフラム内の開口部５８を貫通しており、フック部品のブランチ４６および５０はダイヤフラムの両側に位置している。開口部５８は横断面が非円形であることが好ましく、例えばフック部品４４の回転を防止し、正しい回転角方向の位置決めをするように、例えばほぼ長方形または正方形となっている。
【００３７】
カバープレート１０のベースへのダイヤフラム２８の取り付けは、極めて簡単となっている。
【００３８】
図４に示されるように、フック部品４４内に短柱４０を係合し、次にカバープレート１０に正しく位置決めされているダイヤフラム２８に係合させ、フック部品４４と短柱４０とからなるアセンブリをダイヤフラム内の開口部５８に係合し、短柱４０をカバープレート１０のベース内の孔４２内に挿入すれば十分である。その後、従来技術と同じようにシーム加工により短柱４０を固定する。短柱のヘッド３８はフック部品４４の第２ブランチ内の開口部５６を通して取り扱うことが可能であるので、このシーム加工には問題はない。
【００３９】
これら状態では、各フック部品４４の第１ブランチは対応する短柱のヘッド３８によりカバープレート１０のベースにクランプされており、フック部品４４の第２ブランチ５０はカールした端部５４を介してダイヤフラムの周辺部分３０に当接される。カールした端部５４の凸状面はダイヤフラムに対する第２当接部として働き、このダイヤフラムに対する第１当接部はカバープレート１０のベースの内側面の突出する要素６０によって構成され、この突出する要素は環状でよく、連続していてもよいし、不連続状でもよい。
【００４０】
図３から判るように、各フック部品４４の第１ブランチ４６は前記突出する要素６０のすぐ近傍で終わっており、この突出する要素は必要であれば第１ブランチ４６に対する当接部として働くことができ、よってクラッチの軸線に対する第１ブランチの径方向の位置決めおよび／または回転角方向の位置決めを保証する。
【００４１】
更に、短柱４０およびカバープレート１０のベース内の短いベース用の貫通孔４２も、カバープレート１０のベース上でフック部品４４を回転角方向に正しく位置決めできるように、フック部品４４の第１ブランチ４６内の開口部４８と同じように、非円形の横断面とすることができる。このような構造によって、ダイヤフラムとフック部品との間の摩擦を小さくすることができ、フック部品は開口部５８内に間隙をもって取り付けられるので、このような構造は有利である。孔４２は短柱４０のシャンクと同じように長方形または正方形の横断面とすることができる。別の変形例では、これら孔４２は平らな部分が形成される。
【００４２】
クラッチが係合した位置では、ダイヤフラム２８の外側部分３０はカバープレートのベースの第１当接部６０に当接し、圧力プレート２０を反作用プレート１４に押圧するので、クラッチディスクを通してエンジントルクを伝えることができる。クラッチ解除ベアリングがダイヤフラム２８のラジアルフィンガー３２に作用すると、ダイヤフラムはフック部品４４の第２ブランチのカールした端部５４によって構成された第２当接部上で傾動し、圧力プレート２０へスラスト力を加えることを終了させる。従って、クラッチを解除、すなわち切るために、ダイヤフラム２８に加えられる力はフック部品４４を開放するように働き、フック部品４４を閉じたり、または圧縮したりすることはない。これにより、間隙および製造公差の吸収を可能にしながら、フック部品の弾性度を最良に活用できる。フック部品と短柱はサブアセンブリを構成するので、カバープレートへのダイヤフラムの取り付けおよび固定は簡単である。更に、図１のクラッチに設けられているような標準的なカバープレートと共に本発明を使用できる。
【００４３】
フック部品４４は開口部５８と整合して位置しているので、ダイヤフラム２８のフィンガー３２にリブを設けることができ、これらリブは図２の破線６２から判るように、ベルビーユリング３０まで延びることができる。
【００４４】
短柱のヘッドは簡略され、軸方向により短くなっている。
【００４５】
別の変形例では、孔４２のエッジの領域内に、カバープレートの隣接面に対する少なくとも１つの不連続部が形成されており、この不連続部はストッパーとして働くことによって、ヘッドに対向する短柱の円筒形端部をカバープレートにリベット締結した後に、孔の軸線に対する短柱の回転を防止するようになっている。より詳細については１９９８年２月１２日に出願されたフランス国特許願第98 01689号明細書を参照されたい。従って、この不連続部は孔４２内で内部が開口するラジアル溝から構成できる。
【００４６】
これらラジアル溝は数個設けることが好ましい。
【００４７】
このような構造では、短柱のシャンクの自由端の材料は、リベット締結作業中に流動状態となり、溝を満たし、短柱が回転するのを防止する。
【００４８】
短柱上でフック部品４４が回転するのを防止するために、短柱を孔４８に取り付ける際に、短柱内に溝を形成するよう、フック上に（短柱用の貫通孔４８のエッジ上に）凹凸を形成することができ（フック部品は短柱よりも硬質の材料から製造される）、よって短柱に対するフック部品の回転が防止される。
【００４９】
図５および図６における変形実施例では、短柱４０は、各フック部品４４の第１ブランチ４６内の上記開口部を貫通するシャンク６６を有し、このシャンク６６にはショルダー６８が形成されており、このショルダーはフック部品の第１ブランチ４６に当接し、第１ブランチ４６のカバープレート１０のベースに対する係合状態を維持する。
【００５０】
各フック部品４４の第２ブランチ５０を短柱のシャンクが横断しており、この第２ブランチ５０は第１ブランチ４６と短柱のヘッド７０との間を延びており、この場合、ヘッド７０の対応する面からわずかに離間し、この面に平行となっている。
【００５１】
各フック部品の第２ブランチ５０の自由端はダイヤフラム２８の部分３０に係合し、クラッチ解除時のダイヤフラムの第２当接部を構成する。
【００５２】
クラッチ機構が通常の状態にある時、これら状態では静止時に各フック部品４４の第２ブランチ５０と短柱４０のヘッド７０との間に存在する間隙Ｊによって、クラッチ解除時にフック部品４４がわずかに弾性変形できるようになっている。
【００５３】
フック部品４４が破損した場合、短柱のヘッド７０はフック部品の第２ブランチ５０に対する当接部を構成し、この当接部は所定位置に保持されたままとなる。クラッチ解除時に、ダイヤフラム２８の部分３０はフック部品の第２ブランチ５０に係合した状態にあり、第２ブランチ５０自身は短柱のヘッド７０に係合する。これにより、クラッチ機構は破損した状態でも作動し続けることができ、クラッチペダルの踏み込み量は若干小さくなる。
【００５４】
図５および図６に示されるような変形例に使用される短柱４０は、これまで「デルタスペーサ」と称されていた。従って、本発明は特にこのタイプの短柱を使用するすべての機構に適用できる。
【００５５】
本発明に係わるフック部品４４は、スプリング用スチールをプレス成形したものであり、短柱４０は鋳造したものである。
【００５６】
別の変形例では、反作用プレート１４はトーションダンパーフライホイールの一部となり、この場合、このプレートは第１質量部材に共に回転するように取り付けられ、第１質量部材はクランクシャフトに固定され、径方向または円周方向に作用する弾性部材により前記プレートに結合される。
【００５７】
別の変形例では、自動車のクランクシャフトに固定されたディスクに反作用プレートが固定され、フレキシブルフライホイールを構成する。
【００５８】
次にこのカバープレートを可撓性ディスクに固定することができる。
【００５９】
当然ながら、クラッチは２つ以上の圧力プレートを有することができ、摩耗、特に摩擦ディスクの摩擦ライナーの摩耗を補償するための装置を設けることができる。
【図面の簡単な説明】
【図１】  従来技術におけるクラッチの軸方向部分断面図である。
【図２】  ダイヤフラムの正面図である。
【図３】  クラッチカバープレート上のダイヤフラムの弾性的関節接続部の軸方向部分断面図である。
【図４】  本発明に係わるフック部材とリベットとから成るアセンブリを示す拡大斜視図である。
【図５】  本発明の別の実施例を示す部分図である。
【図６】  本発明の別の実施例の部分図である。
【符号の説明】
１０    カバープレート
１２、１６    ネジ
１４    反作用プレート
１８    エンジンシャフト
２０    圧力プレート
２２    ディスク
２４    摩耗ライナー
２６    被動シャフト
２８    ダイヤフラム
３８    ヘッド
４０    短柱
４４    フック部品
４６    第１ブランチ
４８    孔
５０    第２ブランチ
５２    湾曲部分
５４    カールした端部
５６    開口部
【図１】
0004582913.tif 000002
【図２】
0004582913.tif 000003
【図３】
0004582913.tif 000004
【図４】
0004582913.tif 000005
【図５】
0004582913.tif 000006
【図６】
0004582913.tif 000007